(57)【特許請求の範囲】
【請求項１】
湯沸かし器には、ドーナツ管（３ａ）があり、
該ドーナツ管（３ａ）は、磁性体の鉄でできており、
該ドーナツ管（３a）には、足（３ｂ）が具備されており、
該足（３ｂ）は、該ドーナツ管（３a）を水中に浮かし、
該ドーナツ管（３ａ）の中には、コイル（４）があり、
該コイル（４）は、絶縁テープ（２ｄ）を巻いて絶縁し、
該コイル（４）は、高周波発生装置（５）を介して商用電源に繋ぎ、
該コイル（４）が、発生する磁束（２ｃ）は前記ドーナツ管（３a）を縦に回転して、
該磁束（２ｃ）が、渦電流を発生させ、
該渦電流の抵抗が、該ドーナツ管（３ａ）に発生するジュール熱によって加熱し、
加熱した該ドーナツ管（３ａ）は、周りの水で冷却され、
該ドーナツ管（３ａ）に接した水の温度が上昇することで、体積が増えて浮力となり、上に上昇することで対流となることを特徴とする湯沸かし器。
【発明の詳細な説明】
【技術分野】
【０００１】
本発明は、風呂の追い炊きをするとき、ジュール熱を使用して湯になる湯沸かし器に関するものである。
【背景技術】
【０００２】
従来の瞬間湯沸かし器またはボイラーは、油やガスを利用して密閉した鋼板製の容器内で水を熱し、これを蒸気化して蒸気を発生させる装置である。形式には立てボイラー、横ボイラー、丸ボイラー、煙管ボイラー、水管ボイラーなどいろいろのものがある。
【０００３】
電磁調理器は、内部に配置されるコイルに流れる電流により、所定の種類の、金属製の調理器具を自己発熱させる加熱のための器具である。加熱原理は、誘導加熱であり、ＩＨ調理器とも呼ばれる。ガスや火も使用せず、電力のみで作動する。一般的にはコンロ型をしている調理器具を言う。ＩＨ炊飯器などの、同じ加熱原理を用いる機器を含めることもある。ＩＨクッキングヒーターと言った場合は、コンロ型の調理器を限定して指す場合が多い。
【０００４】
高周波装置によるパイプを加熱する方法としては、特開２００５−１００９３５のパイプ誘導加熱装置は、鋼管などのパイプ部材の端部同士を溶接して接合したり、または修理などのために側面にロウ付けする目的である。このような誘導加熱を適用しようとする場合には、空心形状の誘導コイルの内部に、そのパイプ部材を配置させ、３０ｋＨｚ以上の高周波電源を誘導コイルに供給することによりパイプ部材の内部に交番磁力線を発生させ誘導加熱する構成となっていた。しかしＵ字の誘導磁心を、パイプ部材に多数配置することで、効率を上げるものであった。
【０００５】
同じ出願人の、特願２０１１−２４５２５９の瞬間湯沸かし器は、管にボビンを取り付け、その上にコイルが巻いてあり、そのボビンを囲うように多数の外板を具備し、そのコイルに高周波発生装置で高周波電流を流すことで、管に磁束が集中してジュール熱で湯を作る、瞬間湯沸かし器があった。
【先行技術文献】
【特許文献】
【０００６】
【特許文献１】特願２０１１−２４５２５９
【特許文献２】特開２０１１−１１３８４６
【特許文献３】特開２００５−１００９３５
【特許文献４】特開２００４−２１４０３９
【発明の概要】
【発明が解決しようとする課題】
【０００７】
従来のボイラーは、油やガスを利用して密閉した鋼板製の容器内で水を熱し、これを蒸気化して蒸気を発生させる装置、または湯を作る装置であるが、湯を作るボイラーなどは蛇口を開けて湯が出るまでに、その道中を暖めるため、洗面器一杯の水が無駄になっていた。また、蒸気がでるボイラーも同様で、配管が暖まる間では蒸気にならず、蒸気として使用できるまでには時間を必要としていた。
【０００８】
電磁調理器は、内部に配置されるコイルに流れる電流により、所定の種類の、金属製の調理器具を自己発熱させる加熱のための器具である。ガスや火も使用せず、電力のみで作動するものを、瞬間湯沸かし器に使用した場合、鍋などのものをその時、その時に持って来るのではなく、備え付けの管であるから効率を上げることができる。
【０００９】
そこで、高周波装置によるパイプを加熱する方法としては、特開２００５−１００９３５のパイプ誘導加熱装置は、鋼管などのパイプ部材の端部同士を溶接接合したりするものであったが、取り外しするためにＵ字の誘導磁心を、パイプ部材に多数配置していた。しかし、取り外しをしないものであれば、パイプ部材に直接コイルを巻くことで、さらに効率を上げるものである。
【００１０】
同じ出願人の、特願２０１１−２４５２５９の瞬間湯沸かし器は、管にボビンを取り付け、その上にコイルが巻いてあり、そのボビンを囲うように多数の外板を具備していたが、外板も熱エネルギーが発生するなら、外板を取り付けなくてよい方法を思いついた。
【００１１】
そこで本発明の湯沸かし器は、水道管（１）の中に湯沸かし器が具備されており、湯沸かし器は、内管（２）と外管（３）からできている。そして、内管（２）にはコイル（４）が巻かれており、コイル（４）は高周波発生装置（５）から高周波を受けてコイル（４）に発生する磁力線が内管（２）と外管（３）を回って発熱する湯沸かし器を提供するものである。
【課題を解決するための手段】
【００１２】
上記目的を達成するための湯沸かし器は、水道管（１）の中に湯沸かし器が具備されており、湯沸かし器は内管（２）と外管（３）からできている。そして内管（２）にはコイル（４）が巻かれており、コイル（４）は高周波発生装置（５）から高周波を受けて発熱することで目的を達成した。
【００１３】
また湯沸かし器は、水道管（１）の中に湯沸かし器が具備されており、該湯沸かし器は、内管（２）と外管（３）からできている。そして、内管（２）にはコイル（４）が複数巻かれており、該コイル（４）は、サーモスタット（６）の設定温度が違い高周波発生装置（５）から、高周波を受けて発熱することで目的を達成した。
【００１４】
本発明の湯沸かし器は、ドーナツ管（３ａ）があり、そのドーナツ管（３ａ）の中には、コイル（４）があり、コイル（４）は高周波発生装置（５）を介して商用電源に繋ぐことで目的を達成した。
【発明の効果】
【００１５】
本発明の湯沸かし器は、次のような効果がある。
（イ）高周波発生装置による湯沸かし器は、熱の変換効率が良い。
（ロ）湯沸かし器は、内外の管の両側から温めるため更に効率がよい。
（ハ）変換効率が良いから、外部の熱の放出が無いため、何処にでも設置できる。
（二）湯沸かし器の装置は容量が小さいので、何処へでも取り付けができる。
（ホ）湯沸かし器の装置は容量が小さいので、各蛇口に取り付けができる。
（ヘ）各蛇口に取り付けるこができるので、湯の出るまでが短い。
（ト）この湯沸かし器は温度調節が得意なので、水と混ぜる必要がないから、配管を別に引く必要が無い。
（チ）また湯沸かし器は、温度調節はコイルを３本設置し、それぞれのコイルの入り、切りで温度調節を行うことができる。
（リ）湯沸かし器で蒸気を作れば、水道ならば０．２パスカルの１６０度の蒸気ができる。
（ヌ）高圧洗浄器に湯沸かし器を取り付ければ、６パスカルの６００度の蒸気ができる。
（ル）食器洗い機で蒸気を利用すると、洗剤が不要である。
（オ）本発明の湯沸かし器は、追い炊き専用である。
【図面の簡単な説明】
【００１６】
【図１】図は、湯沸かし器の断面図である。
【図２】図は、内管の斜視図である。
【図３】図は、内管にボビンを取り付けた斜視図である。
【図４】図は、コイルを巻いた斜視図である。
【図５】図は、外管を被せる途中の斜視図である。
【図６】図は、湯沸かし器本体の斜視図である。
【図７】図は、磁束をあらわした模式図である。
【図８】湯沸かし器の使用例の側面図で、一部断面をあらわしている。
【図９】図は、サーモスタットを使用した湯沸かし器の側面図で一部断面図である。
【図１０】図は、コイルを３本にした側面図である。
【図１１】図は、洗浄器の側面図である。
【図１２】図は、本発明の、追い焚きするときのドーナツ型湯沸かし器の斜視図である。
【図１３】ドーナツ型湯沸かし器の断面図である。
【図１４】ドーナツ管の磁束をあらわした模式図である。
【発明を実施するための最良の形態】
【００１７】
湯沸かし器は、鉄製の水道管（１）の中に湯沸かし器本体を挿入して、その湯沸かし器本体は外管（３）と内管（２）からできている。その内管（２）に、コイル（４）を巻いている。そこを詳しく説明すると、内管（２）は片方をラッパ状に広げて、外側にボビン（２ａ）を挿入し、ボビン（２ａ）にはコイル（４）が巻かれている。そして、枝（２ｂ）を介してコイル（４）の配線は、高周波発生装置（５）に繋がっている。枝（２ｂ）は、内管（２）に取り付けた枝（２ｂ）管で、コイル（４）が水で漏電しないために具備している。
【００１８】
その内管（２）に巻いたコイル（４）に、外管（３）を被せて、内管（２）の広がった部分と外管（３）の端を溶接して止める。そして、外管（３）の絞った所は、内管（２）が貫通していて、そこを溶接して止める。
【００１９】
そして、できた湯沸かし器本体を蛇口（１ｂ）の水道管（１）の、Ｓ管の中に入れ、蛇口（１ｂ）のハンドル（１ｃ）を操作するとスイッチ（６ａ）も入り、水が通ることでコイル（４）が発生する磁力線が内管（２）と外管（３）の中を通り、内管（２）と外管（３）からできている湯沸かし器全体を温める。この磁力線には、高周波サイクルを変化するので、湯沸かし器の中に電磁誘導が生じ、渦電流が流れる。すると、鉄などの金属は電気抵抗を持っているので流れる電気は熱を発生させる。そして湯沸かし器の表面に発生した熱は冷却水によって冷却され、替わりに水が湯になり適度な温度に保たれる。
【００２０】
その発熱する状態を詳しく説明すると、ボビン（２ａ）のコイル（４）を囲うように内管（２）と外管（３）があり、コイル（４）で発生する磁束（２ｃ）は内管（２）を通って外管（３）を経て内管（２）に戻る、磁束（２ｃ）の通り道ができている。したがって、内管（２）と外管（３）の全部が発熱する。
【００２１】
その磁束（２ｃ）を作るのは、商用電力を高周波に替えるために高周波発生装置（５）があり、高周波発生装置（５）を介在することによって、１秒間に１０万回の交流電流が流れ、内管（２）と外管（３）は磁束（２ｃ）が通過するときに渦電流が発生し、その渦電流が抵抗になるため、その抵抗がジュール熱となる。
【００２２】
そのジュール熱を詳しく説明すると、湯沸かし器ではインバータの高周波発生装置（５）により、商用電力から変換して得た１００ｋＨｚの交流の電流を、湯沸かし器の内管（２）と外管（３）に近接して配置されたコイル（４）に流す。その電流と同じ周波数で、交番する磁束（２ｃ）を生成する。中心の内管（２）と外管（３）は鉄製であり、この磁束（２ｃ）が及ぶ領域に位置する鉄製のものは自己発熱し、加熱が可能となる。その自己発熱した内管（２）と外管（３）を冷却するために水を通し、その結果、その水が湯になることで湯沸かし器が成り立つ。
【００２３】
この熱は、磁束（２ｃ）の時間変化により、電磁誘導の原理によって誘起された渦電流が、金属の電気抵抗により熱に変換されたジュール熱や、交番している磁束（２ｃ）が内管（２）と外管（３）の磁性体に生じさせる熱のヒステリシス損である。内管（２）と外管（３）そのもの自体が熱を発する自己発熱であるために、湯沸かし器では投入電力からみた熱効率は高い。しかし電気エネルギーを熱エネルギーへ変換するため、火力発電所で発電された電力であれば熱エネルギーへの再変換となり、結果として発電所まで含めた総合エネルギー効率は、６％程度である。
【００２４】
しかし６％程度であるが、現在の技術では効率の良い物で、加熱のための廃棄ガスがない点や、容量が小さいこと、温度制御が簡単なこと、熱エネルギーの変換率が良いことなどの利点がある。
【００２５】
また湯沸かし器は、コイル（４）を複数使用することで、温度調節できるものである。内管（２）は、ボビン（２ａ）を介して複数のコイル（４）が巻いてあり、そのボビン（２ａ）を囲うように内管（２）と外管（３）が具備してある。そして複数のコイル（４）は、電源から高周波発生装置（５）を介してサーモスタット（６）が、それぞれのコイル（４）に通電する。
【００２６】
コイル（４）は、サーモスタット（６）の電源をＯＮとＯＦＦにして、温度を調節するものである。水道管（１）の蛇口（１ｂ）の出口に取り付けた温度計（１ａ）は、湯の温度を計り、そのデータはサーモスタット（６）に送られ、サーモスタット（６）は設定した温度を越えるとＯＦＦになるものと、設定した温度を越える少し前にＯＦＦになるサーモスタット（６）がある。
【００２７】
そのため、温度が低いときには複数のコイル（４）は全部作動して、温度を上げる。温度が、設定温度になればサーモスタット（６）を介したコイル（４）ＯＦＦになり、もう一方のコイル（４）だけで温度を保つ。温度がさらに上がると、全てのコイル（４）がＯＦＦになり、温度が下がる。温度が下がると、サーモスタット（６）はスイッチをＯＮとして、コイル（４）に電流が流れ温度を上げる。さらに下がると、全てのコイル（４）がＯＮとなって、温度調節をする。要するに、１本のコイル（４）ではＯＮとＯＦＦのときの差があるため、複数のコイル（４）の方が、温度調節をする方が簡単である。
【００２８】
本発明の湯沸かし器は、ドーナツ管（３ａ）があり、そのドーナツ管（３ａ）はＵ管（３ｃ）が上と下から具備していて、その中にはコイル（４）をテープ（２ｄ）で絶縁しているものである。その湯沸かし器は、風呂の追い炊きなどをするもので、風呂の底へ湯沸かし器のドーナツ管（３ａ）を沈め、ドーナツ管（３ａ）の中のコイル（４）に、高周波発生装置（５）を介してできた高周波を送ると、ドーナツ管（３ａ）に巻かれたコイル（４）と交番する磁束（２ｃ）が、縦に回転して、その渦電流は横に回転し、その渦電流の抵抗がドーナツ管（３ａ）を温め、そのとき発生するジュール熱によって加熱する。
【００２９】
加熱したドーナツ管（３ａ）は、周りの水で冷却され、ドーナツ管（３ａ）に接した水の温度が上昇する。そして、体積が増えることで浮力となり、上に上昇する。したがって、ドーナツ管（３ａ）を浮かすために足（３ｂ）が取り付けてある。そのことで、対流が生まれ、風呂の温度が上昇する。
（参考例１）
【００３０】
本発明の湯沸かし器を、図面を参照して説明する。
図１の断面図は、水道管（１）の直径がΦ２０の中に、湯沸かし器の本体を挿入している。水道管（１）の中にはラッパ状の内管（２）があり、内管（２）の外側にはボビン（２ａ）があり、そのボビン（２ａ）にコイル（４）を巻いている。そのコイル（４）は図面では２０回巻いているように書いてあるが、実際にはΦ０．５を１２００回巻いている。
【００３１】
そして枝（２ｂ）は、内管（２）からコイル（４）の一部を配線するための枝（２ｂ）で、水道管（１）を貫通して高周波発生装置（５）に繋がっている。そして、内管（２）に外管（３）を被せて、右端の内管（２）がラッパ状に広がった部分を溶接して構成している。左側の外管（３）は管を絞ってあり、内管（２）と接触する部分を溶接して構成している。そして外管（３）は、水道管（１）の内側に接触しないように緩衝材を取り付ける。その水道管（１）は、蛇口（１ｂ）のハンドル（１ｃ）に具備したスイッチ（６ａ）でＯＮとなるもので、ＯＮとなるときはハンドル（１ｃ）を引き上げたときで、水が流れるときである。
【００３２】
蛇口（１ｂ）から流れる冷却水の温度を摂氏１０度として、内管（２）の中を通り、その内管（２）はジュール熱により加熱したところを冷却水で冷やすため、水は湯になって放出される。
【００３３】
もう一つの冷却水は、外管（３）の外を通り、その外管（３）はジュール熱により加熱したところを冷却するため、水は湯になり、内管（２）を通った湯と混合して放出される。
【００３４】
湯沸かし器の組み立て方を説明する。図２は湯沸かし器の内管（２）の斜視図であり、内管（２）は直径Φ１０の鉄製でできており、内径はΦ８であり、肉厚は１ミリである。その内管（２）の片方をラッパのように、Φ１４に広げている。そして横幅は１６０ミリで、枝（２ｂ）は銅管のΦ３ミリで、水が漏らないようにＴＧ溶接またはロウ付け溶接してある。
【００３５】
図３は、ボビン（２ａ）に内管（２）を挿入した斜視図である。そのボビン（２ａ）は厚み０．５ミリで、直径はΦ１１である。そして、横幅は１５０ミリである。ボビン（２ａ）は、絶縁するためとに取り付けた部品である。したがって、熱に強いプラスチックやガラスなどが良い。
【００３６】
図４は、そのボビン（２ａ）にコイル（４）を巻いたところの斜視図である。実際には、コイル（４）はΦ０．５を１２００回巻いているが、図面では２０回巻いたようになっている。そのコイル（４）は、一層に３００回巻き、４層でコイル（４）の巻いた直径はΦ１５になる。そしてコイル（４）は、銅管で作った枝（２ｂ）管より配線する。枝（２ｂ）管は、鉄製やステンレス製でもよい。
【００３７】
図５は、内管（２）に外管（３）を被せる途中の斜視図である。コイル（４）の巻いた直径はΦ１５であるため、外管（３）はΦ１６で、その外管（３）の厚みは０．５ミリである。
【００３８】
６図は、湯沸かし器本体の完成した斜視図である。図面の右側の、内管（２）をラッパ状に広げた場所と、外管（３）を溶接して、水が入らないようにする。図面の左側の、外管（３）はΦ１６からΦ１０に絞ったところと、内管（２）を溶接して止める。
【００３９】
図７は、高周波発生装置（５）によって高周波を流したときの、湯沸かし器の断面をあらわした模式図である。その模式図は、湯沸かし器本体の上半分を表したもので、磁束（２ｃ）は内管（２）を通り、外管（３）を経て内管（２）に戻る、磁束（２ｃ）の通り道を、７本の矢印で磁束（２ｃ）を現している。その矢印の磁束（２ｃ）が流れると、その磁束（２ｃ）には直角に渦電流が発生している。そして０．０００００５秒後には逆の電気が流れ、逆方向の磁束（２ｃ）が流れ、そのときに内管（２）と外管（３）は金属内に電磁誘導が生じ、渦電流が流れ、鉄などの金属は電気抵抗を持っているので、流れる電流はジュール熱を発生させる。
【００４０】
図８は、蛇口（１ｂ）に湯沸かし器本体を取り付けた側面図で、一部切り取った断面図と、配線である。最初に、蛇口（１ｂ）のハンドル（１ｃ）を引き上げると、ハンドル（１ｃ）の付け根にあるスイッチ（６ａ）が入ると同時に、蛇口（１ｂ）の水が開放されて冷却水となり、湯沸かし器の方に流れる。水は湯になるが、温度調節は付いていないため、水の量で温度を調節する、最も簡単な方法である。
（参考例２）
【００４１】
実際に使用するときの使用例の説明を、図８の側面図でする。そして一部は断面図で、配線が示してあり、その図を参照して説明する。図８は、台所の蛇口（１ｂ）で、台所では主に食器を洗うためのもので、手先であるため、温度は大雑把でよいから、湯の設定温度は４０度から２０度で充分である。したがって、温度の設定の制御が不要なため、このような簡単で、小さい容量のものができる。
【００４２】
蛇口（１ｂ）に取り付けたスイッチ（６ａ）は、蛇口（１ｂ）のハンドル（１ｃ）を操作して、ハンドル（１ｃ）を上に上げて、水を出すときにスイッチ（６ａ）も入り、水道管（１）の中にある湯沸かし器本体の内管（２）と外管（３）の端を流れると、その内管（２）と外管（３）の内部はジュール熱によって発熱する。その発熱を水道管（１）の水が冷却水となり、水は湯となる。
【００４３】
したがって、温度に関する装置は取り付けていないため、温度の調節は水の量によってきまる。つまり、水を少ししか出さないときは４０度になり、多量に水を出すときはぬるま湯になる。
【００４４】
そこで、蛇口（１ｂ）から水を出して、その水が冷却水の役目を果たし、結果、蛇口（１ｂ）から出た水は温水になる。その温水は毎分２リットルで、１０度の水が４０度の湯になる６万カロリーである。それ以上蛇口（１ｂ）のバルブを解放して、水を出すと毎分４リットルでは２５度になってしまう。毎分１０リットルでは、１６度になってしまう。
【００４５】
止めるときは、スイッチ（６ａ）が切れるときで、水も蛇口（１ｂ）が閉まって止まる。もし水が断水しているとき、スイッチ（６ａ）を入れたら空焚きになってしまい、水道管（１）の温度が１０００度ぐらいに上がってしまうため、コイル（４）には温度ヒューズを取り付けて、温度ヒューズは８０度ぐらいで切れるものが望ましい。
（参考例３）
【００４６】
図９は、湯沸かし器の側面図と一部の断面で、さらにサーモスタット（６）の配線を表している。蛇口（１ｂ）はハンドル（１ｃ）を上に持ち上げたことで点線のようになり、点線は蛇口（１ｂ）が開放しているときを表す。その湯沸かし器は、少し複雑になるが、６万カロリーの範囲で使用するものであるから、サーモスタット（６）は簡単なＯＮ、ＯＦＦで行い、細かい温度調節が必要なときは、冷却水である水を調節することで行う。しかし、毎分２リットル以下ではサーモスタット（６）が作動して切れてしまう。次に作動して、スイッチが入るときには、冷えた水の１０度であるため温度調節が旨くいかない場合が起こる可能性があるので、毎分２リットル以上は水を出す必要がある。
【００４７】
この湯沸かし器の利点は、使用する手前で熱を作ることで、従来のボイラーでは暖まった所から、使用する所までの道中が長いため、その道中の配管が温もって、初めて温水が出るから、洗面器に一杯の水が無駄になっていたが、その様なことはない。
【００４８】
さらに、従来の湯沸かし器のガスを使用しているものは、室内の空気を汚していたし、廃棄ガスで一酸化炭素中毒を起こす事故が発生していたが、高周波で水道管（１）を加熱するため、その様なことがない。さらに、小容量であるため、何処へでも取り付けが可能である。
【００４９】
また風呂などで使用する場合で、上記のように湯を出し、湯船が冷えたら蛇口（１ｂ）の取り付けているナットを外して、湯沸かし器全体を浴槽に沈め、追い炊きすることができる。そのとき、温度計（１ａ）の取り付けた方を下にしておくと、サーモスタット（６）が作動せず、水道管（１）のＳ巻に入った湯は、暖められて体積が増え、浮力が生まれ上に流れて、そのために対流が起こる。
【００５０】
さらに水中ポンプを取り付けると、対流で循環していたものを強制的に循環させるため、湯沸かし器全体を湯に浸けることをしなくてよく、安全に追い炊きができる。
（参考例４）
【００５１】
図１０の側面図で、一部断面図と配線図であり、コイル（４）が３本の湯沸かし器の説明をする。その湯沸かし器は、水道管の蛇口（１ｂ）の後ろに取り付けるもので、水道管（１）はφ２０でボビン（２ａ）を介して複数のコイル（４）が巻いてあり、φ０．３のコイル（４）を３本で、１２００回づつ巻いている。そのボビン（２ａ）を、囲うように外管（３）を具備してある。
【００５２】
そして３本のコイル（４）は、商用電源から高周波発生装置（５）を介しサーモスタット（６）が、それぞれのコイル（４）に通電する。サーモスタット（６）の温度計（１ａ）は、蛇口（１ｂ）の水が出るところに、近いところへ取り付ける。
【００５３】
コイル（４）は、サーモスタット（６）の設定温度を替えることで、温度調節が可能になる。例えば、６０度に設定すると、コイル（４）のサーモスタット（６）は６０度でＯＦＦのなるようにする。別のコイル（４）は、サーモスタット（６）のＯＦＦになって切れる温度を５９度に設定する。したがって、５９度以上になればサーモスタット（６）の働きでこのコイル（４）は通電しなくなるが、もう一本のコイル（４）が作動しているので細かい設定温度を保てる。
【００５４】
さらに、もう一本のコイル（４）は５８度でサーモスタット（６）を設定し、最初に作動するときと、通常使用するときの温度が５８度以下になると異常事態で、温度を上げるために、三本目のコイル（４）が通電して、早く温度を回復するようにする。
【００５５】
この複数コイル（４）を設置した訳は、電磁調理器の炊飯器が温度調節をして通電しているときと、通電していないときの差があるため３本設置して、ＯＮとＯＦＦだけでなく温度によって１本のコイル（４）が通電するときと、２本のコイル（４）が通電するときと、３本のコイル（４）が通電するときに分けた。
（参考例５）
【００５６】
湯沸かし器は、ボイラーにすることもできる。水道管（１）は、蛇口（１ｂ）の手前に取り付けてある。その水道管（１）に湯沸かし器を取り付け、そしてその後に蛇口（１ｂ）を取り付ける。すると、水道の圧力か０．２パスカル加わっていると、水道管（１）の中の水は約１６０度で蒸気に変わり、蛇口（１ｂ）を開けることで蒸気が噴出する。
【００５７】
したがって蒸気が噴出し、蒸気は気体に溜めた熱を放出する性質があるため、食器洗い機などに利用すると洗剤が要らない食器洗い機ができる。それは、水または湯の場合、洗剤を付けないと油汚れなどは落ちなかったが、蒸気を噴射することで油が落ちることは自動車のエンジンルームの洗浄などで使用されており、エンジンルームの油が綺麗に払拭されている。
（参考例６）
【００５８】
図１１の高圧噴射機（７）の側面図である。高圧噴射機（７）に湯沸かし器を取り付ければ、６パスカルの６００度の蒸気ができる。市販されている高圧噴射機（７）は、６パスカルの毎分５リットルを噴射し、７００ｗの消費電力であった。その高圧噴射機（７）の噴射口（７ａ）に繋がる水道管（１）に、内管（２）とΦ１０と外管（３）のΦ１４に湯沸かし器を取り付ける。
【００５９】
湯沸かし器の横幅は４００ミリで、内管（２）も横幅は４００ミリで、ボビン（２ａ）は３８０ミリの直径で細いところのφ１２に、φ１のコイル（４）を２０００回巻いて、５層巻いてコイル（４）の巻いた直径はφ２２になる。そしてφ２２の外側に外管（３）の２ミリを加えるとΦ２６になる。そして高圧噴射機（７）の直径はΦ３０になり、その湯沸かし器に取り付けている。
【００６０】
そして毎分５リットルの水を、蒸気に代えるのに１２５万カロリーが必要で、２０ｋｗが必要である。しかし毎分５リットルを噴射する高圧噴射機（７）は、先の噴射口（７ａ）が一緒のため蒸気が出るときには、約４０００倍に体積が増えているので、体積が４０００倍で６パスカルに圧縮すると、体積は約１００倍で噴射する。すると毎分５０ｃｃを噴射する高圧洗浄器は、１万２５００カロリーが必要で、湯沸かし器の消費電力は１０００ｗ程度である。
【００６１】
そのため、噴射口（７ａ）をφ１からφ４にして、毎分５リットル水を噴射すると、蒸気では毎分２０，０００リットルを大気圧で噴射し、１２５万カロリーが必要で、消費電力は２０ｋｗが必要である。つまり、蒸気を出す噴射口（７ａ）の穴は、φ４のときの消費電力は２０ｋｗが必要で、φ１のときの消費電力は１ｋｗが必要である。
【００６２】
この高圧噴射機（７）は、自動車のエンジンルームを洗浄するものを見本にした。従来は、ボイラーをガスや石油で水を暖め蒸気を作り、その蒸気を噴射していたが、高圧噴射機（７）に湯沸かし器を取り付けることで、容量が小さくなる。また、噴射口（７ａ）のすぐ手前で蒸気を作るため、高圧ホース（７ｂ）が軽くなり、ホースを通過するときに温度が冷えることもない。
【実施例】
【００６３】
図１２は本発明の、風呂の追い焚き用の湯沸かし器である。図面の図１３から説明すると、図面ではドーナツ管（３ａ）型の湯沸かし器の切断した片方である。図面では、３７回巻いているように書かれているが、実際はΦ１のコイル（４）を２０００回巻き、その上を耐熱性の絶縁テープ（２ｄ）で巻き、その外側に上のＵ管（３ｃ）と、下のＵ管（３ｃ）でできたドーナツ管（３ａ）がある。ドーナツ管（３ａ）はＵ管（３ｃ）の上下からできており、上と下からコイル（４）を挟み溶接してある。その溶接した後は、図面でいうと真横になる。そして、そのコイル（４）の束は約Φ４０で、消費電力は２ｋｗである。
【００６４】
そして、その外側にドーナツ管（３ａ）があり、ドーナツ管（３ａ）はΦ４３の磁性体の鉄でできており、ドーナツ管（３ａ）はＵ管（３ｃ）の上下の部品からできており、２個をあわせて溶接して止める。
【００６５】
枝（２ｂ）管は、コイル（４）に繋がる高周波発生装置（５）を繋ぐ配線を漏電しないように取り付けたものである。その枝（２ｂ）管は金属製のものを使用した方が溶接できるのでよい。そして、ドーナツ管（３ａ）には足（３ｂ）が取り付けてあり、ドーナツ管（３ａ）を浮かすことで対流が生まれて、風呂桶を暖める。そのドーナツ管（３ａ）の足（３ｂ）は３本で、ドーナツ管（３ａ）を１０ミリ浮かせてある。
【００６６】
図１４は、ドーナツ管（３ａ）の断面で磁束（２ｃ）を表した模式図である。ドーナツ管（３ａ）の中を、図のように磁束（２ｃ）が流れ、高周波になっているため０．０００００５秒後には逆の電流が流れて、逆の磁束（２ｃ）となり、逆の磁束（２ｃ）は逆回転の渦電流が発生して、その渦電流がドーナツ管（３ａ）を温める。その熱がジュール熱で風呂を暖める。
【産業上の利用可能性】
【００６７】
蒸気として利用する場合には、医療用の殺菌に使用できる。現在では、あまり病院の中で殺菌する作業は少なくなったが、医療用廃棄物は医療用廃棄物の取扱業者が廃棄していた。しかし蒸気で殺菌できれば、普通の廃棄物として廃棄でき、危険なものはその場で殺菌して無害なものにした方が良い。
【符号の説明】
【００６８】
１  水道管        １ａ  温度計        １ｂ  蛇口      １ｃ  ハンドル
２  内管     ２ａ  ボビン      ２ｂ  枝      ２ｃ  磁束    ２ｄ  テープ
３  外管      ３ａ  ドーナツ管      ３ｂ  足        ３ｃ  Ｕ管
４  コイル    ５  高周波発生装置      ５ａ  コード
６  サーモスタット      ６ａ  スイッチ
７  高圧噴射機          ７ａ  噴射口      ７ｂ  ホース
【図１】
0005519842.tif 000002
【図２】
0005519842.tif 000003
【図３】
0005519842.tif 000004
【図４】
0005519842.tif 000005
【図５】
0005519842.tif 000006
【図６】
0005519842.tif 000007
【図７】
0005519842.tif 000008
【図８】
0005519842.tif 000009
【図９】
0005519842.tif 000010
【図１０】
0005519842.tif 000011
【図１１】
0005519842.tif 000012
【図１２】
0005519842.tif 000013
【図１３】
0005519842.tif 000014
【図１４】
0005519842.tif 000015